(57)【特許請求の範囲】
【請求項１】
最下位の商品から順次落下搬出する商品搬出制御装置を備えた商品収納コラムと該商品収納コラムから落下搬出された商品を商品取出口に搬送するデリバリシュートとを一体に形成し、該デリバリシュートの底板の裏側に該商品搬出制御装置への配線接続部を配置した自動販売機において、
前記デリバリシュートの底板には、蓋体で開閉され前記配線接続部を臨み、手を挿入して該配線接続部の接続作業を行うための接続操作窓を設けた
ことを特徴とする自動販売機。
【発明の詳細な説明】
【０００１】
【発明の属する技術分野】
本発明は、商品収納コラムの下部に商品の搬出制御を行う商品搬出制御装置を有する自動販売機に関するものである。
【０００２】
【従来の技術】
従来、この種の自動販売機として出願人は特願平８ー２５３５０６に係るものを提案している。
【０００３】
この自動販売機は商品収納コラムとデリバリシュートを一体に形成し、この一体の商品収納コラム及びデリバリシュートを前後方向に摺動自在に自動販売機本体内に設置している。また、この商品収納コラムにはその下部に最下位の商品から順次落下搬出する商品搬出制御装置が設置されており、この商品搬出制御装置により商品収納コラムから最下位の商品をデリバリシュートに落下させ、これを商品取出口に搬送するようになっている。
【０００４】
この商品搬出制御装置への配線系として商品搬出制御装置に接続した末端側配線部と給電側に接続した給電側配線部とを有し、この各配線部の接続部分をデリバリシュートの底板の裏側で接続している。
【０００５】
ここで、商品搬出制御装置に通電できるよう各配線部を接続するときは、一体となってる商品収納コラム及びデリバリシュートを自動販売機本体内から一旦前方に引き出し、デリバリシュートの底板の裏面を自動販売機本体の外に開放させる。しかる後、デリバリシュートの底板の裏面に手を入れて各配線部を接続する。
【０００６】
【発明が解決しようとする課題】
しかしながら、このように従来の自動販売機では各配線部の接続作業及び外し作業を行うためには、商品収納コラム及びデリバリシュートの引き出し作業が必要となっていたし、また、各配線部の接続及び外し作業がデリバリシュートの底板の裏側での作業となり非常に面倒なものとなっていた。
【０００７】
本発明の目的は前記従来の課題に鑑み、商品搬出制御装置の配線の接続及び外し作業を簡単に行うことができる自動販売機を提供することにある。
【０００８】
【課題を解決するための手段】
本発明は前記課題を解決するため、最下位の商品から順次落下搬出する商品搬出制御装置を備えた商品収納コラムと商品収納コラムから落下搬出された商品を商品取出口に搬送するデリバリシュートとを一体に形成し、デリバリシュートの底板の裏側に商品搬出制御装置への配線接続部を配置した自動販売機において、デリバリシュートの底板には、蓋体で開閉され配線接続部を臨み、手を挿入して配線接続部の接続作業を行うための接続操作窓を設けた構造となっている。
【０００９】
本発明によれば、商品搬出制御装置の配線接続部の接続作業或いは外し作業を行うときは、デリバリシュートの蓋体を開いて接続操作窓を開け、この接続操作窓を通じて作業を行えばよい。
【００１０】
【発明の実施の形態】
図１及び図２は本発明に係る自動販売機の一実施形態を示すもので、図１は自動販売機の斜視図、図２は蓋体の組み付け方法を示す組み付け斜視図である。
【００１１】
この自動販売機１は、図１に示すように、自動販売機本体２内に上下に商品収納庫３と機械室４を有するもので、この商品収納庫３内には互いに間隙Ａをおいて左右にサーペンタイン式の商品収納コラム５が複数並設されている。この間隙Ａに発泡樹脂等を充填した断熱仕切板６を介在することにより商品収納庫３が左右方向に仕切られ、一方の部屋には図示しない冷却装置で冷却される冷却室が構成され、他方の部屋には図示しない加熱装置で加熱される加熱室が構成されている。また、この商品収納コラム５の下部には商品収納コラム５から落下搬出された商品を商品取出口（図示しない）に転動搬送するデリバリシュート７が一体に連結され、このデリバリシュート７が商品収納コラム５とともに、自動販売機本体２に対してレール手段（図示しない）により前後に摺動自在となっている。
【００１２】
以上のような構成は前述の従来例で説明した自動販売機と同様であり、本実施形態に係る自動販売機は、商品搬出制御装置の配線接続構造に特徴を有するものであり、この構造を図２を参照して説明する。
【００１３】
即ち、商品収納コラム５の下部にはコラム５内の最下位の商品から順次搬出する商品搬出制御装置８が設置されている。また、この商品搬出制御装置８には配線接続部（コネクタ）８１がハーネス８２を介して接続しており、この配線接続部８１を通じて外部電源から給電するようになっている。
【００１４】
一方、デリバリシュート７の底板７１には方形状に開口した接続操作窓７２と、この接続操作窓７２を開閉する蓋体７３を有している。この接続操作窓７２にはその対向する一方の辺（上辺）に下方に延設された固定板７４を有する一方、他方の辺（下辺）には断面Ｌ字状の取付板７５が延設されている。また、この固定板７４の上部には２個の引っ掛け穴７４ａを、取付板７５にはネジ穴７５ａをそれぞれ形成している。一方、蓋体７３は接続操作窓７２に填め込まれるよう形成されており、蓋体７３の上辺には引っ掛け穴７４ａに挿入される２個の突起７３ａを有する一方、蓋体７３の上面には取付板７５のネジ穴７５ａに対応するネジ穴７３ｂを有している。
【００１５】
これにより、蓋体７３の突起７３ａを引っ掛け穴７４ａに挿入して、この蓋体７３を接続操作窓７２に填め合わせ、しかる後、ネジ９を蓋体７３のネジ穴７３５ｂに挿入し、更にネジ穴７５ａに螺合にすることにより、蓋体７３が接続操作窓７２に填め込まれる。
【００１６】
また、固定板７４には、商品搬出制御装置８への給電系である配線接続部８１が固定されている。この配線接続部８１はハーネス８２をデリバリシュート７の底板７１の裏面に引き回して固定され、更に、外部電源に接続している配線接続部（プラグ）８３に接続されるようになっている。
【００１７】
本実施形態に係る自動販売機１において、商品搬出制御装置８に通電するため、各配線接続部８１，８３を接続するときは、まず、図１に示す状態、即ち商品収納コラム５を商品収納室３内に収容した状態で、蓋体７３の取り外し作業を行う。この取り外し作業では、まず、ネジ９を弛緩してこれを蓋体７３から外し、更に突起７３ａを引っ掛け穴７４ａから外す。しかる後、蓋体７３ａを接続操作窓７２から外す。
【００１８】
この蓋体７３の取り外し作業により接続操作窓７２が開口し、この接続操作窓７２を通じてデリバリシュート７の裏側が現れる。そして、この接続操作窓７２を通じて手を挿入し、外部電源側の配線接続部８３を固定板７４の配線接続部８１に接続すれば、商品搬出制御装置８への配線接続が完了する。
【００１９】
なお、この配線接続が完了したときは、前述したように蓋体７３を接続操作窓７２に填め込みネジ９にて螺合する。これにより、接続操作窓７２が閉塞され、デリバリシュート７が本来の商品搬送通路として機能する。また、メンテナンス等で各配線接続部８１，８３を外すときは、前述と同様に接続操作窓７２を開口して行えばよいことは勿論である。
【００２０】
このように本実施形態に係る自動販売機１によれば、商品収納コラム５内にデリバリシュート７を保持した状態で配線接続作業ができるし、また、この配線接続作業がデリバリシュート７の接続操作窓７２を通じてデリバリシュート７の上から行うことができ、配線接続作業が非常に簡単になる。
【００２１】
【発明の効果】
以上説明したように、本発明によれば、商品搬出制御装置の配線接続部の接続作業或いは外し作業を行うときは、デリバリシュートの蓋体を開いて接続操作窓を開け、この接続操作窓を通じて作業を行うことができるため、配線接続作業が非常に簡単になる。
【図面の簡単な説明】
【図１】本実施形態に係る自動販売機の斜視図
【図２】本実施形態に係る蓋体の組み付け方法を示す組み付け斜視図
【符号の説明】
１…自動販売機、２…自動販売機本体、３…商品収納庫、５…商品収納コラム、７…デリバリシュート、８…商品搬出制御装置、７１…底板、７２…接続操作窓、７３…蓋体、８１，８３…配線接続部。
【図１】
0003912842.tif 000002
【図２】
0003912842.tif 000003